(57)【要約】      （修正有）【課題】アナログ放送とデジタル放送、アナログ放送間、デジタル放送間の切り替えができ、再生している番組を途切れずに再生することができる放送受信装置を提供する。【解決手段】受信器２１、２２は、アナログ放送波及びデジタル放送波の双方が受信可能である。システムコントローラ８が、受信器２１、２２のうちの一方の受信機２１、２２が受信している番組をスピーカＳＰに再生させ、さらに、再生中の番組と同一内容を放送している代替局を、他方の受信器２２、２１を用いて検索する。２つの受信器２１、２２のそれぞれの受信状態を取得し、代替局を受信している受信器２２、２１の受信状態の方が、再生中の番組を受信している受信器２１、２２の受信状態より良い場合に、代替局からの放送波に含まれる番組に切り替えてスピーカＳＰに再生させる。【選択図】図１
2013207688.tif 000002
【特許請求の範囲】
【請求項１】
アナログ放送波及びデジタル放送波の双方が受信可能な、複数の受信手段と、
前記複数の受信手段のうちの一つの受信手段が受信している放送波に含まれる番組を再生手段に再生させる切替手段と、
前記再生手段が再生している番組と同一内容の番組を放送している代替局の周波数を、前記再生している番組を含む放送波を受信している受信手段とは異なる受信手段を用いて検索する検索手段と、
前記複数の受信手段のそれぞれの受信状態を取得する取得手段と、
を備え、
前記切替手段が、代替局からの放送波を受信している受信手段の受信状態の方が、前記再生手段が再生している番組を含む放送波を受信している受信手段の受信状態より良い場合に、前記代替局からの放送波に含まれる番組に切り替えて前記再生手段に再生させる、
ことを特徴とする放送受信装置。
【請求項２】
前記複数の受信手段が各々、一つの周波数にメイン番組及びサブ番組が含まれるデジタル放送波の受信が可能であり、
前記切替手段が、前記メイン番組及び前記サブ番組の間で切り替えて前記再生手段に再生させる
ことを特徴とする請求項１に記載の放送受信装置。
【請求項３】
前記切替手段が、
前記代替局からのデジタル放送に含まれる前記サブ番組が、前記再生手段が再生している番組と同一内容である場合に、前記サブ番組に切り替えて前記再生手段に再生させる、
ことを特徴とする請求項２に記載の放送受信装置。
【請求項４】
前記再生手段により再生している番組と同一内容の番組を放送している代替局の情報が格納されたデータベースをさらに備え、
前記検索手段が、前記データベースから前記代替局の周波数を検索する
ことを特徴とする請求項１〜３何れか１項に記載の放送受信装置。
【請求項５】
前記複数の受信手段の何れかに各周波数の放送波を受信させるスキャンを定期的に行わせ、受信された各周波数の放送波に基づいて前記データベースに格納された代替局の情報を更新する第１更新手段を
さらに備えたことを特徴とする請求項４に記載の放送受信装置。
【請求項６】
前記第１更新手段が、前記スキャン時に受信した代替局の受信状態を当該代替局の情報として前記データベースに格納すると共に更新し、
前記切替手段が、前記データベースに格納された前記代替局の受信状態に基づいて、前記代替局からの放送波を受信している受信手段の受信状態の方が良いかを判定する
ことを特徴とする請求項５に記載の放送受信装置。
【請求項７】
前記再生手段により再生されている放送波に含まれる代替局の情報に基づいて前記データベースに格納された代替局の情報を更新する第２更新手段を
さらに備えたことを特徴とする請求項４〜６何れか１項に記載に放送受信装置。
【請求項８】
前記複数の受信手段が受信した放送波を位相合成する位相合成手段と、
前記複数の受信手段に同じ周波数の放送波を受信させ、前記複数の受信手段が受信した放送波を前記位相合成手段により位相合成させ、前記再生手段に位相合成された放送波の番組を再生させる制御手段と、
をさらに備えたことを特徴とする請求項１〜７何れか１項に記載の放送受信装置。
【請求項９】
デジタル放送波及びアナログ放送波の双方が受信可能な、複数の受信手段を用いて放送波を受信させる放送受信方法であって、
前記複数の受信手段のうちの一つの受信手段が受信している放送波に含まれる番組を再生手段に再生させ、
前記再生手段により再生されている番組と同一内容の番組を放送している代替局の周波数を、前記再生している番組を含む放送波を受信している受信手段とは異なる受信手段を用いて検索し、
複数の受信手段のそれぞれの受信状態を取得し、
前記代替局からの放送波を受信している受信手段の受信状態の方が、前記再生手段が再生している番組を含む放送波を受信している受信手段の受信状態より良い場合に、前記代替局からの放送波に含まれる番組に切り替えて前記再生手段に再生させる
ことを特徴とする放送受信方法。
【請求項１０】
デジタル放送波及びアナログ放送波の双方が受信可能な、複数の受信手段を有する放送受信装置を制御するためのコンピュータを、
前記複数の受信手段のうち一つの受信手段が受信している放送波に含まれる番組を再生手段に再生させる切替手段と、
前記再生手段により再生している番組と同一内容の番組を放送している代替局の周波数を、前記再生している番組を含む放送波を受信している受信手段とは異なる受信手段を用いて検索する検索手段と、
前記複数の受信手段のそれぞれの受信状態を取得する取得手段として機能させ、
前記切替手段が、代替局からの放送波を受信している受信手段の受信状態の方が、前記再生手段が再生している番組を含む放送波を受信している受信手段の受信状態より良い場合に、前記代替局からの放送波に含まれる番組に切り替えて前記再生手段に再生させる、
ことを特徴とする放送受信装置用プログラム。
【請求項１１】
請求項１０に記載の放送受信装置用プログラムを格納したことを特徴とするコンピュータ読み取り可能な記録媒体。
【発明の詳細な説明】
【技術分野】
【０００１】
本発明は、放送受信装置、放送受信方法、放送受信装置用プログラム及び放送受信装置用プログラムを格納した記録媒体に関するものである。
【背景技術】
【０００２】
従来、変調方式の異なる振幅変調のＡＭ放送と周波数変調のＦＭ放送で同一内容を放送しているとき、変調方式が異なる同一内容の番組への切替ができるラジオ受信装置が提案されている（特許文献１）。ところで、近年、デジタル放送の普及により、アナログ放送とデジタル放送とで同一内容の番組を同一時間帯に放送することも、アナログ放送の異なる周波数で同一内容の番組を同一時間帯に放送することも、デジタル放送の異なる周波数で同一内容の番組を同一時間帯に放送することもある。しかしながら、上述した従来のラジオ受信装置では、ＡＭ放送とＦＭ放送との間でしか切り替えができないため、アナログ放送とデジタル放送との切り替え、アナログ放送間での切り替え、デジタル放送間での切り替えをすることができない、という問題があった。
【０００３】
また、デジタル放送については、サブチャンネルのように一つの周波数にメイン番組とサブ番組とが含まれることがあり、一の周波数のメイン番組と他の周波数のサブ番組とが同一時間帯に同一番組であることもある。この場合も従来のラジオ受信装置では、互いに異なる周波数の放送波に含まれるメイン番組とサブ番組とを切り替えることができない、という問題があった。
【先行技術文献】
【特許文献】
【０００４】
【特許文献１】特開２０１１−２１１５８５号公報
【発明の概要】
【発明が解決しようとする課題】
【０００５】
本発明は、かかる問題を解決することを目的としている。即ち、本発明は、例えば、アナログ放送とデジタル放送との切り替え、アナログ放送間の切り替え、デジタル放送間の切り替えができ、再生している番組を途切れずに再生することができる放送受信装置、放送受信方法、放送受信装置用プログラム及び放送受信装置用プログラムを格納した記録媒体を提供することを目的としている。
【課題を解決するための手段】
【０００６】
上記課題を解決するために、請求項１に記載の放送受信装置は、アナログ放送波及びデジタル放送波の双方が受信可能な、複数の受信手段と、前記複数の受信手段のうちの一つの受信手段が受信している放送波に含まれる番組を再生手段に再生させる切替手段と、前記再生手段が再生している番組と同一内容の番組を放送している代替局の周波数を、前記再生している番組を含む放送波を受信している受信手段とは異なる受信手段を用いて検索する検索手段と、前記複数の受信手段のそれぞれの受信状態を取得する取得手段と、を備え、前記切替手段が、代替局からの放送波を受信している受信手段の受信状態の方が、前記再生手段が再生している番組を含む放送波を受信している受信手段の受信状態より良い場合に、前記代替局からの放送波に含まれる番組に切り替えて前記再生手段に再生させることを特徴としている。
【０００７】
請求項９に記載の放送受信方法は、デジタル放送波及びアナログ放送波の双方が受信可能な、複数の受信手段を用いて放送波を受信させる放送受信方法であって、
前記複数の受信手段のうちの一つの受信手段が受信している放送波に含まれる番組を再生手段に再生させ、前記再生手段により再生されている番組と同一内容の番組を放送している代替局の周波数を、前記再生している番組を含む放送波を受信している受信手段とは異なる受信手段を用いて検索し、複数の受信手段のそれぞれの受信状態を取得し、前記代替局からの放送波を受信している受信手段の受信状態の方が、前記再生手段が再生している番組を含む放送波を受信している受信手段の受信状態より良い場合に、前記代替局からの放送波に含まれる番組に切り替えて前記再生手段に再生させることを特徴としている。
【０００８】
請求１０に記載の放送受信装置用プログラムは、デジタル放送波及びアナログ放送波の双方が受信可能な、複数の受信手段を有する放送受信装置を制御するためのコンピュータを、前記複数の受信手段のうち一つの受信手段が受信している放送波に含まれる番組を再生手段に再生させる切替手段と、前記再生手段により再生している番組と同一内容の番組を放送している代替局の周波数を、前記再生している番組を含む放送波を受信している受信手段とは異なる受信手段を用いて検索する検索手段と、前記複数の受信手段のそれぞれの受信状態を取得する取得手段として機能させ、前記切替手段が、代替局からの放送波を受信している受信手段の受信状態の方が、前記再生手段が再生している番組を含む放送波を受信している受信手段の受信状態より良い場合に、前記代替局からの放送波に含まれる番組に切り替えて前記再生手段に再生させることを特徴としている。
【図面の簡単な説明】
【０００９】
【図１】本発明の第１実施形態における放送受信装置を示す図である。
【図２】図１に示すシステムコントローラの更新処理手順を示すフローチャートである。
【図３】図２に示すシステムコントローラの切替処理手順を示すフローチャートである。
【図４】本発明の第２実施形態における放送受信装置を示す図である。
【図５】図４に示すシステムコントローラの更新処理手順を示すフローチャートである。
【図６】図４に示すシステムコントローラの切替処理手順を示すフローチャートである。
【発明を実施するための形態】
【００１０】
以下、本発明の一実施形態にかかる放送受信装置を説明する。本発明の一実施形態にかかる放送受信装置は、複数の受信手段の各々は、アナログ放送波及びデジタル放送波の双方が受信可能であり、切替手段が、複数の受信手段のうちの一つの受信手段が受信している放送波に含まれる番組を再生手段に再生させ、検索手段が、再生手段が再生している番組と同一内容の番組を放送している代替局の周波数を、再生している番組を含む放送波を受信している受信手段とは異なる受信手段を用いて検索し、取得手段が、複数の受信手段のそれぞれの受信状態を取得する。そして、切替手段が、代替局からの放送波を受信している受信手段の受信状態の方が、再生手段が再生している番組を含む放送波を受信している受信手段の受信状態より良い場合に、代替局からの放送波に含まれる番組に切り替えて再生手段に再生させる。このように複数の受信手段をアナログ放送波及びデジタル放送波の双方が受信可能にすることにより、アナログ放送とデジタル放送との切り替え、アナログ放送間の切り替え、デジタル放送間の切り替えができ、再生している番組が途切れずに再生することができる。
【００１１】
また、複数の受信手段が各々、一つの周波数にメイン番組及びサブ番組が含まれるデジタル放送波の受信が可能であり、切替手段が、メイン番組及びサブ番組の間で切り替えて再生手段に再生させるようにしてもよい。これにより、デジタル放送のメイン番組及びサブ番組間でも切り替えができ、再生している番組が途切れずに再生することができる。
【００１２】
また、切替手段が、代替局からのデジタル放送に含まれるサブ番組が、再生手段が再生している番組と同一内容である場合に、サブ番組に切り替えて再生手段に再生させるようにしてもよい。これにより、サブ番組に切り替えることができ、再生している番組が途切れずに再生することができる。
【００１３】
また、データベースに、再生手段により再生している番組と同一内容の番組を放送している代替局の情報を格納し、検索手段が、データベースから代替局の周波数を検索するようにしてもよい。このようにデータベースに代替局の情報が格納されているため、データベースから代替局の情報を迅速に検索することができる。
【００１４】
また、第１更新手段が、複数の受信手段の何れかに各周波数の放送波を受信させるスキャンを定期的に行わせ、受信された各周波数の放送波に基づいてデータベースに格納された代替局の情報を更新するようにしてもよい。これにより、データベースに正確な代替局の情報を格納させることができる。
【００１５】
また、第１更新手段が、スキャン時に受信した代替局の受信状態をその代替局の情報としてデータベースに格納すると共に更新し、切替手段が、データベースに格納された代替局の受信情報に基づいて、代替局からの放送波を受信している受信手段の受信状態の方が良いかを判定するようにしてもよい。これにより、より一層、迅速に判定を行うことができる。
【００１６】
また、第２更新手段が、再生手段により再生されている放送波に含まれる代替局の情報に基づいてデータベースに格納された代替局の情報を更新するようにしてもよい。これにより、データベースに正確な代替局の情報を格納させることができる。
【００１７】
また、制御手段が、複数の受信手段に同じ周波数の放送波を受信させ、複数の受信手段が受信した放送波を位相合成手段により位相合成させ、再生手段に位相合成された放送波の番組を再生させるようにしてもよい。これにより、複数の受信手段を利用して、再生手段により再生される放送波の品質向上を図ることができる。
【００１８】
また、本発明の一実施形態にかかる放送受信方法は、デジタル放送波及びアナログ放送波の双方が受信可能な、複数の受信手段を用いて放送波を受信させる方法であって、複数の受信手段のうちの一つの受信手段が受信している放送波に含まれる番組を再生手段に再生させ、再生手段により再生されている番組と同一内容の番組を放送している代替局の周波数を、再生している番組を含む放送波を受信している受信手段とは異なる受信手段を用いて検索し、複数の受信手段のそれぞれの受信状態を取得し、代替局からの放送波を受信している受信手段の受信状態の方が、再生手段が再生している番組を含む放送波を受信している受信手段の受信状態より良い場合に、代替局からの放送波に含まれる番組に切り替えて再生手段に再生させる。このように複数の受信手段をアナログ放送波及びデジタル放送波の双方が受信可能にすることにより、アナログ放送とデジタル放送との切り替え、アナログ放送間の切り替え、デジタル放送間の切り替えができ、再生している番組が途切れずに再生することができる。
【００１９】
また、本発明の一実施形態にかかる放送受信装置用プログラムは、デジタル放送波及びアナログ放送波の双方が受信可能な、複数の受信手段を有する放送受信装置を制御するためのコンピュータを、複数の受信手段のうち一つの受信手段が受信している放送波に含まれる番組を再生手段に再生させる切替手段と、再生手段により再生している番組と同一内容の番組を放送している代替局の周波数を、再生している番組を含む放送波を受信している受信手段とは異なる受信手段を用いて検索する検索手段と、複数の受信手段のそれぞれの受信状態を取得する取得手段として機能させ、切替手段が、代替局からの放送波を受信している受信手段の受信状態の方が、再生手段が再生している番組を含む放送波を受信している受信手段の受信状態より良い場合に、代替局からの放送波に含まれる番組に切り替えて再生手段に再生させる。このように複数の受信手段をアナログ放送及びデジタル放送の双方が受信可能にすることにより、アナログ放送とデジタル放送との切り替え、アナログ放送間の切り替え、デジタル放送間の切り替えができ、再生している番組が途切れずに再生することができる。
【００２０】
また、上述した放送受信装置用プログラムをコンピュータ読み取り可能な記録媒体に格納してもよい。このようにすることにより、当該プログラムを装置に組み込む以外に単体でも流通させることができ、バージョンアップ等も簡易に行える。
【実施例】
【００２１】
第１実施形態
以下、本発明の第１実施形態における放送受信装置を図１などに基づいて説明する。図１に示すように、放送受信装置１は、アナログ放送波及びデジタル放送波の双方が受信可能な受信手段としての受信器２１及び２２を２つと、受信器２１及び２２が受信した放送波に含まれるプログラム（番組）を再生する再生手段としてのスピーカＳＰと、アナログデコーダ３１及び３２と、デジタルデコーダ４１及び４２と、ブレンド部５１及び５２と、スイッチ部６１及び６２と、ブレンド部７と、スピーカＳＰにより再生されているプログラムと同一内容のプログラムを放送している代替局の情報が格納されたデータベースＤＢと、放送受信装置１全体の制御を司るコンピュータとしてのシステムコントローラ８と、を備えている。
【００２２】
上記受信器２１及び２２は各々、ＡＭアナログ放送波、ＦＭアナログ放送波やＨＤラジオのように同一周波数でアナログ放送と同時にデジタル放送が送信できるようなＡＭ／ＦＭハイブリッド放送波、ＤＡＢのようなデジタル放送波のように全ての放送について受信することができる受信器である。なお、ＡＭ／ＦＭハイブリッド放送波に含まれるアナログ放送とデジタル放送とは同一内容のプログラムである。また、デジタル放送には、一つの周波数にメインプログラム及び１つ以上のサブプログラムが含まれることがある。メインプログラムは、同時に伝送されるアナログ放送と同一内容であり、サブプログラムは、メインプログラムとは番組内容が異なる。
【００２３】
上記受信器２１及び２２は各々、放送波を受信するアンテナ２１ａ及び２２ａと、アンテナ２１ａ及び２２ａが受信する放送波を選局するＦＥ部２１ｂ及び２２ｂと、から構成されている。上記アナログデコーダ３１、３２と、デジタルデコーダ４１、４２と、ブレンド部５１、５２と、スイッチ部６１、６２と、ブレンド部７とは、例えば１つ、または複数のＤＳＰから構成されている。上記アナログデコーダ３１及び３２は各々、受信器２１及び２２が受信したアナログ放送波をデコードして、ブレンド部５１及び５２に出力する。上記デジタルデコーダ４１及び４２は各々、受信器２１及び２２が受信したデジタル放送波をデコードして、デジタル放送波に含まれるメインプログラムをブレンド部５１及び５２に出力し、サブプログラムをスイッチ部６１及び６２に出力する。デジタルデコーダ４１及び４２は、放送波に１つのプログラムしか含まれていない場合はメインプログラムとして扱いブレンド部５１及び５２に出力する。
【００２４】
ブレンド部５１及び５２は、アナログデコーダ３１及び３２がデコードしたアナログ放送と、デジタルデコーダ４１及び４２がデコードしたデジタル放送に含まれるメインプログラムと、を切り替えてスイッチ部６１及び６２に対して出力する。このブレンド部５１及び５２の切り替えは、デジタルデコーダ４１及び４２によって制御される。デジタルデコーダ４１及び４２は、例えばアナログ放送波しか受信できない地域であり、デジタル放送波が受信できないときは、アナログデコーダ３１及び３２から出力されるアナログ放送をスイッチ部６１及び６２に出力するようにブレンド部５１及び５２を制御し、ハイブリッド放送波やデジタル放送波が受信できる地域では、デジタルデコーダ４１及び４２から出力されるデジタル放送のメインプログラムをスイッチ部６１及び６２に出力するようにブレンド部５１及び５２を制御する。このとき、デジタルデコーダ４１及び４２は、アナログ放送とデジタル放送との切り替え時に音声が途切れないように、時間差、品質差を考慮して補正を行いながら合成しつつ切り替えを行う（例えばアナログ放送とデジタル放送との切り替えをクロスフェードさせる）ようにブレンド部５１及び５２を制御している。
【００２５】
スイッチ部６１及び６２は、ブレンド部５１及び５２の出力及び複数のサブプログラムのうち一つに切り替えてブレンド部７に対して出力する。このスイッチ部６１及び６２の切替動作は、システムコントローラ８によって制御されている。また、ブレンド部７は、スイッチ部６１及び６２の出力を切り替えてスピーカＳＰに出力する。このブレンド部７の切替動作は、システムコントローラ８によって制御されている。ブレンド部７の出力が、スイッチ部６１の出力に切り替えられるとスピーカＳＰからは受信器２１が受信している放送波に含まれるプログラムが再生され、スイッチ部６２の出力に切り替えられるとスピーカＳＰからは受信器２２が受信している放送波に含まれるプログラムが再生される。また、システムコントローラ８は、スイッチ部６１の出力とスイッチ部６２の出力との切り替え時に音声が途切れないように、時間差、品質差を考慮して補正を行いながら合成しつつ切り替えを行う（例えばスイッチ部６１の出力とスイッチ部６２の出力との切り替えをクロスフェードさせる）ようにブレンド部７を制御している。
【００２６】
上記データベースＤＢは、スピーカＳＰにより再生しているプログラムと同一内容のプログラムを放送している１又は２以上の代替局の情報を示す代替局リストと、代替局の受信状態を示す受信状態リストと、が互いに関連付けられて格納されている。代替局の情報としては、代替局の周波数、代替局で放送される同一内容のプログラムがサブプログラムである場合、どのサブプログラムかを示す情報などである。上記システムコントローラ８は、例えばマイクロコンピュータなどから構成されていて、図示しない記録媒体に記録された放送受信装置用プログラムに従って動作を行い、上述したデータベースＤＢの更新や、音声が途切れないようにスイッチ部６１及び６２、ブレンド部７の制御を行う。
【００２７】
次に、上述した構成の放送受信装置１の動作について図２及び図３のフローチャートを参照して以下説明する。説明を簡単にするために、今、ブレンド部７の出力がスイッチ部６１の出力に切り替えられていて、受信器２１（一つの受信手段、再生されている方の受信器）で受信した放送波に含まれるプログラムがスピーカＳＰにより再生されているものとする。このとき、システムコントローラ８は、第１更新手段及び第２更新手段として働き、定期的に図２に示す更新処理を行ってデータベースＤＢに格納されている代替局リストや受信状態リストを更新する（ステップＳ１）。
【００２８】
上記更新処理について詳しく説明する。各放送局からの放送波には、現在放送しているプログラムと同一内容のプログラムを放送している代替局の情報を一緒に送信していることがある。そこで、システムコントローラ８は、受信器２１が受信している放送波から代替局の情報を抽出して、代替局リストを作成・更新する。また、製造段階で各放送局の代替局がわかっている場合、放送受信装置１の図示しないメモリに各放送局に対する代替局が格納されていることがある。そこで、システムコントローラ８は、そのメモリから受信器２１が受信している放送局の代替局を抽出して、代替局リストを作成・更新する。
【００２９】
さらに、システムコントローラ８は、受信器２２（一つの受信手段とは異なる受信手段、再生されていない方の受信器）に各周波数の放送波を受信させるスキャンを行わせ、受信器２２により受信された各周波数の放送波に基づいて代替局リストを作成・更新する。このとき、システムコントローラ８は、受信器２２によりスキャンした放送波のうち、プログラム内容を示す情報が受信器２１により受信された放送波と一致する周波数を代替局としてもよいし、受信器２２によりスキャンした放送波のうち、受信器２１により受信された放送波との音声相関が高い周波数を代替局としてもよい。さらに、システムコントローラは、スキャン時に受信した代替局の受信状態に基づいて、受信状態リストを作成・更新する。
【００３０】
また、システムコントローラ８は、受信器２１の受信状態が低くなると図３に示す切替処理を行う。切替処理においてシステムコントローラ８は、第１検索手段として機能し、データベースＤＢに格納されている代替局リストから受信器２１が受信している放送局に対して代替局があるか検索する（ステップＳ２）。代替局がない場合、システムコントローラ８は、再びステップＳ２に戻る。代替局がある場合、システムコントローラ８は、切替手段として機能し、代替局リストに関連付けられた受信状態リストから代替局の受信状態（電界強度、ＢＥＲなどのデジタル受信品質）を求め、求めた代替局の受信状態が受信器２１の受信状態より良く、代替基準を満たしているか否かを判定する（ステップＳ３）。
【００３１】
代替基準を満たしていなければ（ステップＳ３でＮ）、システムコントローラ８は、再びステップＳ２に戻る。代替基準を満たしていれば（ステップＳ３でＹ）、システムコントローラ８は、切替手段として機能し、受信器２２のＦＥ部２２ｂを代替局の周波数に合わせて、検索して代替局からの放送波を受信するように受信器２２を制御する（ステップＳ３）。また、ステップＳ３において、システムコントローラ８は、同一内容のプログラムが代替局のサブプログラムでない場合は、スイッチ部６２の出力をブレンド部５２の出力に切り替え、サブプログラムである場合は、スイッチ部６２の出力をそのサブプログラムに切り替える。
【００３２】
次に、システムコントローラ８は、切替手段として働き、ブレンド部７の出力をスイッチ部６１の出力からスイッチ部６２の出力に切り替えて（ステップＳ４）、処理を終了する。このステップＳ４により、スピーカＳＰにより再生させるプログラムを受信器２１が受信した放送波に含まれるプログラムから受信器２２が受信した代替局からの放送波に含まれる同一内容のプログラムに切り替えられる。そして、今度は受信器２２が一つ受信手段となり、受信器２２の受信状態が低くなると、再び上記切替処理が行われ、一つの受信手段とは異なる受信手段である受信器２１が受信した代替局の放送波に切り替えられる。なお、ステップＳ３で、スイッチ部６２の出力がブレンド部５２の出力に切り替えられているときは、代替局のアナログ放送又はデジタル放送のメインプログラムに切り替えられる。また、ステップＳ３で、スイッチ部６２の出力がサブプログラムに切り替えられているときは、代替局のサブプログラムに切り替えられる。
【００３３】
上述した第１実施形態によれば、２つの受信器２１、２２の各々は、アナログ放送波及びデジタル放送波の双方が受信可能であり、スピーカＳＰが、受信器２１、２２が受信している放送波に含まれるプログラムを再生している。また、システムコントローラ８が、スピーカＳＰにより再生しているプログラムと同一内容のプログラムを放送している代替局の周波数を検索し、例えば受信器２１が受信している放送波に含まれるプログラムをスピーカＳＰに再生させている間に、受信器２２を用いて検索により抽出された代替局からの放送波の受信状態を求め、求めた代替局の受信状態が受信器２１の受信状態より良いか否かを判定し、良いと判定されたとき、スピーカＳＰに再生させるプログラムを受信器２１が受信した放送波に含まれるプログラムから受信器２２が受信した代替局からの放送波に含まれる同一内容のプログラムに切り替える。このように２つの受信器２１、２２をアナログ放送波及びデジタル放送波の双方が受信可能にすることにより、アナログ放送とデジタル放送との切り替え、アナログ放送間の切り替え、デジタル放送間の切り替えができ、再生しているプログラムが途切れずに再生することができる。
【００３４】
また、上述した第１実施形態によれば、２つの受信器２１、２２が各々、一つの周波数にメインプログラム及びサブプログラムが含まれるデジタル放送波の受信が可能であり、システムコントローラ８が、スピーカＳＰに再生されるプログラムをメインプログラム及びサブプログラムの間で切り替えることができる。これにより、デジタル放送のメインプログラム及びサブプログラムでも切り替えができ、再生しているプログラムが途切れずに再生することができる。
【００３５】
また、上述した第１実施形態によれば、データベースＤＢに、スピーカＳＰにより再生しているプログラムと同一内容のプログラムを放送している代替局の情報を格納し、システムコントローラ８が、データベースＤＢから代替局の周波数を検索するようにしてもよい。このようにデータベースＤＢに代替局の情報が格納されているため、データベースＤＢから代替局の情報を迅速に検索することができる。
【００３６】
また、上述した第１実施形態によれば、システムコントローラ８が、受信器２２に各周波数の放送波を受信させるスキャンを定期的に行わせ、受信器２２により受信された各周波数の放送波に基づいてデータベースＤＢに格納された代替局の情報を更新する。データベースＤＢに正確な代替局の情報を格納させることができる。
【００３７】
また、上述した第１実施形態によれば、システムコントローラ８が、スキャン時に受信した代替局の受信状態をその代替局の情報としてデータベースＤＢに格納すると共に更新し、データベースＤＢに格納された代替局の受信情報に基づいて判定を行うようにしてもよい。これにより、より一層、迅速に判定を行うことができる。
【００３８】
また、上述した第１実施形態によれば、スピーカＳＰにより再生されている放送波に含まれる代替局の情報に基づいてデータベースＤＢに格納された代替局の情報を更新するようにしてもよい。これにより、データベースＤＢに正確な代替局の情報を格納させることができる。
【００３９】
第２実施形態
次に、本発明の第２実施形態における放送受信装置を図４などに基づいて説明する。図４において、上述した第１実施形態について既に説明した図１に示す放送受信装置１と同等の部分については同一符号を付してその詳細な説明を省略する。第１実施形態と第２実施形態とで異なる点は、第２実施形態では、放送受信装置１は、さらにスイッチ部９１及び９２と、位相合成部１０１及び１０２と、を備えている点である。スイッチ部９１は、受信器２１からの出力を位相合成部１０１及び１０２の間で切り替える。スイッチ部９２は、受信器２２からの出力を位相合成部１０１及び１０２の間で切り替える。
【００４０】
位相合成部１０１及び１０２は、入力された受信器２１及び２２からの放送波を位相合成するダイバーシティ動作を行う。従って、通常は受信器２１及び２２双方とも同じ放送局の放送波を受信していて、位相合成されている。
【００４１】
次に、上述した構成の放送受信装置１の動作について図５のフローチャートを参照して以下説明する。説明を簡単にするため、今、システムコントローラ８により、ブレンド部７の出力がスイッチ部６１の出力に切り替えられ、スイッチ部９１及び９２が位相合成部１０１に切り替えられているものとする。通常時は、システムコントローラ８は、制御手段として機能し、２つの受信器２１、２２に同じ周波数の放送波を受信させ、２つの受信器２１、２２が受信した放送波を位相合成１０１により位相合成させ、スピーカＳＰに位相合成された放送波のプログラムを再生させている。
【００４２】
このとき、システムコントローラ８は、定期的に図５に示す更新処理を行ってデータベースＤＢに格納されているダイバーシティ動作を行っているか否かを判定する（ステップＳ６）。ダイバーシティ動作を行っていなければ（ステップＳ６でＮ）、システムコントローラ８は直ちにステップＳ９に進み、代替局リスト、受信状態リストの更新を行う。ダイバーシティ動作を行っていれば（ステップＳ６でＹ）、システムコントローラ８は、ダイバーシティ動作を止めても再生品質が確保できるか否かを判定する（ステップＳ７）。
【００４３】
次に、システムコントローラ８は、ダイバーシティ動作を止めても再生品質が確保できる状態になるのを待って（ステップＳ７でＹ）、スイッチ部９２のみを位相合成部１０２に切り替えて、ダイバーシティ動作を停止させた後（ステップＳ８）、ステップＳ９に進み、代替局リスト、受信状態リストの更新を行う。ステップＳ９は、上述した第１実施形態で既に説明した図２のステップＳ２と同様の動作であるため、詳細な説明を省略する。
【００４４】
上記更新処理が終了すると、システムコントローラ８は、再びスイッチ部９２を位相合成部１０１に切り替え、スピーカＳＰに位相合成された放送波のプログラムを再生させる。
【００４５】
また、システムコントローラ８は、受信器２１及び２２の受信状態が低くなると第１実施形態で既に説明した図５に示す切替処理を行う。切替処理において、システムコントローラ８は、第１実施形態と同様に、データベースＤＢに格納されている代替局リストから受信器２１、２２が受信している放送局に対して代替局があるか検索する（ステップＳ１０）。代替局がない場合、システムコントローラ８は、再びステップＳ２に戻る。代替局がある場合、システムコントローラ８は、判定手段として機能し、代替局リストに関連付けられた受信状態リストから代替局の受信状態（電界強度、ＢＥＲなどのデジタル受信品質）を求め、求めた代替局の受信状態が受信器２１の受信状態より良く、代替基準を満たしているか否かを判定する（ステップＳ１１）。
【００４６】
代替基準を満たしていなければ（ステップＳ１１でＮ）、システムコントローラ８は、再びステップＳ２に戻る。代替基準を満たしていれば（ステップＳ１１でＹ）、システムコントローラ８は、一つの受信器２２で再生している放送波の受信を保ちつつ、一つの受信器２１とは異なる受信器２２を代替局に切り替える（ステップＳ１２）。具体的には、システムコントローラ８は、スイッチ部９２を位相合成部１０２に切り替えると共に、受信器２２のＦＥ部２２ｂを代替局の周波数に合わせて、代替局からの放送波を受信するように受信器２２を制御する。また、ステップＳ１２において、システムコントローラ８は、同一内容のプログラムが代替局のサブプログラムでない場合は、スイッチ部６２の出力をブレンド部５２の出力に切り替え、サブプログラムである場合は、スイッチ部６２の出力をそのサブプログラムに切り替える。
【００４７】
次に、システムコントローラ８は、切替手段として働き、ブレンド部７の出力をスイッチ部６１の出力からスイッチ部６２の出力に切り替えて（ステップＳ１３）、処理を終了する。このステップＳ１３により、スピーカＳＰにより再生させるプログムを受信器２１が受信した放送波に含まれるプログラムから受信器２２が受信した代替局からの放送波に含まれる同一内容のプログラムに切り替えられる。その後、システムコントローラ８は、受信器２１のＦＥ部２１ｂを代替局の周波数に合わせて、代替局からの放送波を受信するように受信器２２を制御し、さらにスイッチ部９１を位相合成部１０２に切り替えて、ダイバーシティ動作を再開する。
【００４８】
上述した第２実施形態によれば、システムコントローラ８が、２つの受信器２１、２２に同じ周波数の放送波を受信させ、２つの受信器２１、２２が受信した放送波を位相合成部１０１又は１０２により位相合成させ、スピーカＳＰに位相合成された放送波のプログラムを再生させている。これにより、２つの受信器２１、２２を利用して、スピーカＳＰにより再生される放送波の品質向上を図ることができる。
【００４９】
なお、上述した第１及び第２実施形態では、スピーカＳＰで再生している放送波の受信状態が悪くなったとき切替処理を行っていたが、本発明はこれに限ったものではなく、例えば定期的に切替処理を行うようにしてもよい。
【００５０】
また、第１及び第２実施形態では、データベースには、スピーカＳＰにより再生しているプログラムと同一内容の番組を放送している代替局の情報が格納されていたが、本発明はこれに限ったものではない。例えば、番組表をデータベースに格納して、番組表から代替局を検索するようにしてもよい。
【００５１】
また、第１及び第２実施形態では、代替局の受信状態もデータベースに格納していたが、本発明はこれに限ったものではない。例えば、切り替え時に再生している番組を含む放送波を受信している受信器とは異なる受信器を用いて代替局の受信状態を検出するようにしてもよい。
【００５２】
また、第１及び第２実施形態では、受信手段として２つの受信器２１、２２を用いていたが、本発明はこれに限ったものではない。受信手段の受信器は複数あれば良く、３つ以上あってもよい。
【００５３】
前述した実施形態によれば、以下の放送受信装置１、放送受信方法、放送受信装置用プログラムが得られる。
【００５４】
（付記１）アナログ放送波及びデジタル放送波の双方が受信可能な、複数の受信器２１、２２と、
受信器２１、２２のうち一つの受信器２１が受信している放送波に含まれる番組をスピーカＳＰに再生させ、スピーカＳＰが再生している番組と同一内容の番組を放送している代替局の周波数を、再生している番組を含む放送波を受信している受信器２１とは異なる受信器２２を用いて検索し、複数の受信器２１、２２のそれぞれの受信状態を取得すシステムコントローラ８を備え、
システムコントローラ８が、代替局からの放送波を受信している受信器２２の受信状態の方が、スピーカＳＰが再生している番組を含む放送波を受信している受信器２１の受信状態より良い場合に、代替局からの放送波に含まれる番組に切り替えてスピーカＳＰに再生させる、
ことを特徴とする放送受信装置。
【００５５】
（付記２）デジタル放送波及びアナログ放送波の双方が受信可能な、複数の受信器２１、２２を用いて放送波を受信させる放送受信方法であって、
複数の受信器２１、２２のうちの一つの受信器２１が受信している放送波に含まれる番組をスピーカＳＰに再生させるステップと、
スピーカＳＰにより再生されている番組と同一内容の番組を放送している代替局の周波数を、再生している番組を含む放送波を受信している受信器２１とは異なる受信器２２を用いて検索するステップＳ２と、
複数の受信器２１、２２のそれぞれの受信状態を取得するステップＳ１と、
代替局からの放送波を受信している受信器２１の受信状態の方が、スピーカＳＰが再生している番組を含む放送波を受信している受信器２２の受信状態より良い場合に、代替局からの放送波に含まれる番組に切り替えてスピーカＳＰに再生させるステップＳ３、Ｓ４、Ｓ５と、
を備えたことを特徴とする放送受信方法。
【００５６】
（付記３）デジタル放送波及びアナログ放送波の双方が受信可能な、複数の受信器２１、２２を有する放送受信装置を制御するためのシステムコントローラ８を、
複数の受信器２１、２２のうち一つの受信器２１が受信している放送波に含まれる番組をスピーカＳＰに再生させるステップと、
スピーカＳＰにより再生している番組と同一内容の番組を放送している代替局の周波数を、再生している番組を含む放送波を受信している受信器２１とは異なる受信器２２を用いて検索するステップＳ２と、
複数の受信器２１、２２のそれぞれの受信状態を取得するステップＳ１と、
代替局からの放送波を受信している受信器２１の受信状態の方が、スピーカＳＰが再生している番組を含む放送波を受信している受信器２２の受信状態より良い場合に、代替局からの放送波に含まれる番組に切り替えてスピーカＳＰに再生させるステップＳ３、Ｓ４、Ｓ５として機能させる
ことを特徴とする放送受信装置用プログラム。
【００５７】
付記１、２、３のように複数の受信器２１、２２をアナログ放送波及びデジタル放送波の双方が受信可能にすることにより、アナログ放送とデジタル放送との切り替え、アナログ放送間の切り替え、デジタル放送間の切り替えができ、再生している番組が途切れずに再生することができる。
【００５８】
また、前述した実施例は本発明の代表的な形態を示したに過ぎず、本発明は、実施形態に限定されるものではない。即ち、本発明の骨子を逸脱しない範囲で種々変形して実施することができる。
【符号の説明】
【００５９】
１    放送受信装置
８    システムコントローラ（検索手段、切替手段、取得手段、第１更新手段、第２更新手段、制御手段、コンピュータ）
２１  受信器（受信手段）
２２  受信器（受信手段）
ＤＢ  データベース
ＳＰ  スピーカ（再生手段）
【図１】
2013207688.tif 000003
【図２】
2013207688.tif 000004
【図３】
2013207688.tif 000005
【図４】
2013207688.tif 000006
【図５】
2013207688.tif 000007
【図６】
2013207688.tif 000008